【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
基板に冷却板を対面させて、該基板からの放射熱を吸収して冷却する冷却装置において、前記冷却板に、放射率が均一な冷却板で冷却した場合に基板に生じる温度分布を軽減できるパターンで、当該冷却板の他の領域とは放射率が異なる異放射率領域が設けられていることを特徴とする冷却装置。
【請求項２】
前記異放射率領域が、放射率が均一な冷却板で冷却した場合に、前記基板の中央部と周縁部間に生じる温度分布を軽減できるパターンで設けられていることを特徴とする請求項１に記載の冷却装置。
【請求項３】
前記異放射率領域が、冷却板の中央部に円形または楕円形のパターンで設けられた、当該冷却板の他の領域より放射率が高い領域であることを特徴とする請求項２に記載の冷却装置。
【請求項４】
前記基板が、少なくとも片面の一部に、当該基板とは放射率が異なる異放射率部材を有しており、前記異放射率領域が、放射率が均一な冷却板で冷却した場合に、前記基板と異放射率部材の放射率の相違により基板に生じる温度分布を軽減できるパターンで設けられていることを特徴とする請求項１に記載の冷却装置。
【請求項５】
放射率の高い領域と低い領域とを有する基板に、冷却板を対面させて、該基板からの放射熱を吸収して冷却する冷却装置であって、前記冷却板は、前記基板の放射率の低い領域に対応した、当該冷却板の他の領域よりも放射率の高い領域を有していることを特徴とする冷却装置。
【請求項６】
前記放射率の低い領域は、前記基板上に、当該基板よりも放射率の低い部材が配置された領域であることを特徴とする請求項５に記載の冷却装置。
【請求項７】
基板の少なくとも片面の一部に、当該基板とは放射率が異なる異放射率部材が設けられた画像表示パネル用の基板を加熱する加熱装置と、該加熱装置で加熱された前記基板に冷却板を対面させて、該基板からの放射熱を吸収して冷却する冷却装置とを備えた画像表示パネルの製造装置において、前記冷却装置の冷却板が、放射率が均一な冷却板で冷却した場合に、前記基板と前記異放射率部材の放射率の相違により基板に生じる温度分布を軽減できるパターンで、当該冷却板の他の領域とは放射率が異なる異放射率領域を有することを特徴とする画像表示パネルの製造装置。
【請求項８】
異放射率部材が、基板の片面に形成された、基板より放射率が低い配線であり、前記冷却板における異放射率領域が、前記配線の形成領域に対応して設けられた、当該冷却板の他の領域より放射率の高い領域であることを特徴とする請求項７に記載の画像表示パネルの製造装置。
【請求項９】
前記基板が、基板の片面に、配線と共にスペーサが突設されたもので、前記異放射率領域が設けられた冷却板が、基板の他面側に位置していることを特徴とする請求項８に記載の画像表示パネルの製造装置。
【請求項１０】
放射率の高い領域と低い領域とを有する画像表示用の基板を加熱する加熱装置と、該加熱装置で加熱された前記基板に冷却板を対面させて、該基板からの放射熱を吸収して冷却する冷却装置とを備えた画像表示パネルの製造装置であって、前記冷却装置の冷却板は、前記基板の放射率の低い領域に対応した、当該冷却板の他の領域よりも放射率の高い領域を有していることを特徴とする画像表示パネルの製造装置。
【請求項１１】
前記放射率の低い領域は、前記基板上に、当該基板よりも放射率の低い部材が配置された領域であることを特徴とする請求項１０に記載の画像表示パネルの製造装置。
【請求項１２】
前記基板よりも放射率の低い部材は、配線であることを特徴とする請求項１１に記載の画像表示パネルの製造装置。
【請求項１３】
前記基板の、前記配線が配置されている一方の面側には、更にスペーサが配置されており、前記冷却板は、前記一方の面の裏面側に位置していることを特徴とする請求項１２に記載の画像表示パネルの製造装置。
【請求項１４】
基板の少なくとも片面の一部に、当該基板とは放射率が異なる異放射率部材が設けられた画像表示パネル用の基板を加熱した後、該加熱した前記基板を、当該基板に冷却板を対面させて、該基板からの放射熱を吸収して冷却する工程を有する画像表示パネルの製造方法において、前記冷却板として、放射率が均一な冷却板で冷却した場合に、前記基板と前記異放射率部材の放射率の相違により基板に生じる温度分布を軽減できるパターンで、当該冷却板の他の領域とは放射率の異なる異放射率領域を有するものを用いることを特徴とする画像表示パネルの製造方法。
【請求項１５】
異放射率部材が、基板より放射率が低い配線であり、前記冷却板における異放射率領域を、概略前記配線の形成領域に対応して設けられた、前記冷却板の他の領域より放射率の高い領域とすることを特徴とする請求項１４に記載の画像表示パネルの製造方法。
【請求項１６】
前記基板が、基板の片面に、配線と共にスペーサが突設されたもので、前記異放射率領域が設けられた冷却板を、基板の他面側に位置させることを特徴とする請求項１５に記載の画像表示パネルの製造方法。
【請求項１７】
放射率の高い領域と低い領域とを有する画像表示用の基板を加熱した後、該加熱した前記基板を、当該基板に冷却板を対面させて、該基板からの放射熱を吸収して冷却する工程を有する画像表示パネルの製造方法において、前記冷却板として、前記基板の放射率の低い領域に対応した、当該冷却板の他の領域よりも放射率の高い領域を有している冷却板を用いることを特徴とする画像表示パネルの製造方法。
【請求項１８】
前記放射率の低い領域は、前記基板上に、当該基板よりも放射率の低い部材が配置された領域であることを特徴とする請求項１７に記載の画像表示パネルの製造方法。
【請求項１９】
前記基板よりも放射率の低い部材は、配線であることを特徴とする請求項１８に記載の画像表示パネルの製造方法。
【請求項２０】
前記基板の、前記配線が配置されている一方の面側には、更にスペーサが配置されており、前記冷却板は、前記一方の面の裏面側に位置させることを特徴とする請求項１９に記載の画像表示パネルの製造方法。
【手続補正２】
【補正対象書類名】明細書
【補正対象項目名】０００８
【補正方法】変更
【補正の内容】
【０００８】
本発明は、基板に冷却板を対面させて、該基板からの放射熱を吸収して冷却する冷却装置において、前記冷却板に、放射率が均一な冷却板で冷却した場合に基板に生じる温度分布を軽減できるパターンで、当該冷却板の他の領域とは放射率が異なる異放射率領域が設けられていることを特徴とする冷却装置である。
【手続補正３】
【補正対象書類名】明細書
【補正対象項目名】０００９
【補正方法】変更
【補正の内容】
【０００９】
また、本発明は、放射率の高い領域と低い領域とを有する基板に、冷却板を対面させて、該基板からの放射熱を吸収して冷却する冷却装置であって、前記冷却板は、前記基板の放射率の低い領域に対応した、当該冷却板の他の領域よりも放射率の高い領域を有していることを特徴とする冷却装置である。
【手続補正４】
【補正対象書類名】明細書
【補正対象項目名】００１０
【補正方法】変更
【補正の内容】
【００１０】
また、本発明は、基板の少なくとも片面の一部に、当該基板とは放射率が異なる異放射率部材が設けられた画像表示パネル用の基板を加熱する加熱装置と、該加熱装置で加熱された前記基板に冷却板を対面させて、該基板からの放射熱を吸収して冷却する冷却装置とを備えた画像表示パネルの製造装置において、前記冷却装置の冷却板が、放射率が均一な冷却板で冷却した場合に、前記基板と前記異放射率部材の放射率の相違により基板に生じる温度分布を軽減できるパターンで、当該冷却板の他の領域とは放射率が異なる異放射率領域を有することを特徴とする画像表示パネルの製造装置である。
【手続補正５】
【補正対象書類名】明細書
【補正対象項目名】００１１
【補正方法】変更
【補正の内容】
【００１１】
また、本発明は、放射率の高い領域と低い領域とを有する画像表示用の基板を加熱する加熱装置と、該加熱装置で加熱された前記基板に冷却板を対面させて、該基板からの放射熱を吸収して冷却する冷却装置とを備えた画像表示パネルの製造装置であって、前記冷却装置の冷却板は、前記基板の放射率の低い領域に対応した、当該冷却板の他の領域よりも放射率の高い領域を有していることを特徴とする画像表示パネルの製造装置である。
【手続補正６】
【補正対象書類名】明細書
【補正対象項目名】００１２
【補正方法】変更
【補正の内容】
【００１２】
また、本発明は、基板の少なくとも片面の一部に、当該基板とは放射率が異なる異放射率部材が設けられた画像表示パネル用の基板を加熱した後、該加熱した前記基板を、当該基板に冷却板を対面させて、該基板からの放射熱を吸収して冷却する工程を有する画像表示パネルの製造方法において、前記冷却板として、放射率が均一な冷却板で冷却した場合に、前記基板と前記異放射率部材の放射率の相違により基板に生じる温度分布を軽減できるパターンで、当該冷却板の他の領域とは放射率の異なる異放射率領域を有するものを用いることを特徴とする画像表示パネルの製造方法である。
【手続補正７】
【補正対象書類名】明細書
【補正対象項目名】００１３
【補正方法】変更
【補正の内容】
【００１３】
また、本発明は、放射率の高い領域と低い領域とを有する画像表示用の基板を加熱した後、該加熱した前記基板を、当該基板に冷却板を対面させて、該基板からの放射熱を吸収して冷却する工程を有する画像表示パネルの製造方法において、前記冷却板として、前記基板の放射率の低い領域に対応した、当該冷却板の他の領域よりも放射率の高い領域を有している冷却板を用いることを特徴とする画像表示パネルの製造方法である。